(57)【要約】  一体形の、ねじを受容する、外ねじ山付き骨内歯科用移植片は、外ねじ山と、その近位端にある、相補的な移転構成素子又は快適キャップと係合するための保持溝を含むねじ山なし円筒形部分とを備える本体部分と、相補的な移転構成素子又は快適キャップと係合するための保持溝を含む、一体形又は二個構成の移植片への取付けのための一体形又は二個構成のねじ受容移植片橋脚歯と、移植片の高さを拡張するために使用される遠位端を備えて区分され得る、一体形移植片内への挿入のための取付具マウントとを含む。
2008529661.tif 000002
【特許請求の範囲】
【請求項１】
一体形の、ねじを受容する、外ねじ山付き骨内歯科用移植片であって、
外ねじ山を備える長手に延在する先細な或いは直線的な本体を含み、
該本体は、その近位端にある、ねじ山なし円筒形部分と、該ねじ山なし円筒形部分の近位にある、ねじ山なし外面と、移転構成素子又は快適キャップと係合するための保持溝とを備える、切頭円錐形部分とを含み、前記本体は、当該移植片の前記近位端にある開口から遠位に延在する内部通路を含み、該内部通路は、レンチ係合面と、ねじ山付き領域とを含む、
移植片。
【請求項２】
前記内ねじ付き通路は、前記内部シャフトへの前記開口又はその付近に、複数側面又は複数ローブ付きのレンチ係合面を含む、請求項１に記載の移植片。
【請求項３】
前記本体は、直線的であるか或いは先細である、請求項１に記載の移植片。
【請求項４】
前記本体は、その遠位端に、セルフタッピング切断部分を含む、請求項１、２、又は、３に記載の移植片。
【請求項５】
前記本体は、外部の複数の送りねじ山を含む、請求項１に記載の移植片。
【請求項６】
請求項１の骨内歯科用移植片と共に使用するための快適キャップであって、
内部の円筒形の成形された通路に対して、その近位端で閉塞され且つその遠位端で開放された中空の円筒形本体を含み、前記通路は、その開口付近に、当該キャップの内面上に、前記移植片上の前記保持溝と係合するのに十分なサイズ及び形状の部分的に円周状の突起を含み、前記通路への前記開口付近に、前記円周状の平坦な肩部上に位置するのに十分なサイズ及び形状の表面とを含む、
快適キャップ。
【請求項７】
骨内歯科用移植片と共に使用するためのねじ受容橋脚歯であって、
その近位端にある、ねじ山なし円筒形部分と、該ねじ山なし円筒形部分の近位にある、ねじ山なし外面と、移転構成素子及び快適キャップと係合するための保持溝とを備える、切頭円錐形部分と、前記移植片の内ねじ山と係合するのに適切なサイズ及び形状の、遠位の部分的にねじ山付きのシャンクとを含み、該シャンクは、前記近位端部分の下から遠位に延在し、当該橋脚歯は、前記移植片の前記近位端にある開口内に遠位に延在する内部通路を含み、該内部通路は、レンチ係合面と、ねじ山付き領域とを含む、
橋脚歯。
【請求項８】
内ねじ山付き骨内歯科用移植片における使用のためのねじ受容橋脚歯であって、
第一部分を含み、該第一部分は、その遠位端に、複数側面の雄突起と、前記第一部分を骨内歯科用移植片に保持するための固定ねじを受容する内部長手通路とを含み、前記第一橋脚歯部分は、スナップオン移転キャップ又はスナップオン移転構成素子と係合するための全体的又は部分的に円周状の保持溝を備える、近位の切頭円錐形部分を含み、前記第二橋脚歯部分は、前記第一橋脚歯部分の前記内部長手通路を通過し、且つ、前記第一橋脚歯部分を前記移植片に保持するために、前記移植片の内側にある前記ねじ山と係合するのに十分な長さ及びサイズのねじ山付きシャンクを有する固定ねじを含む、
橋脚歯。
【請求項９】
歯科用移植片の挿入のための取付具マウントであって、
二個部分の本体を含み、該本体は、前記二個部分を互いから分離するのを許容する、前記二個部分間の弱められた地域を備え、前記二個部分の一方は、骨内歯科用移植片の近位端のサイズ及び形状と相補的なサイズ及び形状を有し、前記第一部分の近位にある前記第二部分は、外部、内部、又は、両方のレンチ係合面を含み、当該取付具マウントは、内部の長手に延在する通路と、前記弱められた地域の近位にある、前記内部通路の内面に適合し且つ前記移植片の内部にあるねじ山と係合するのに適したサイズ及び形状のねじ山付きファスナを係合するための表面とを含む、
取付具マウント。
【請求項１０】
当該取付具マウントは、外部のレンチ係合面を含む、請求項９に記載の取付具マウント。
【請求項１１】
前記キャビティを取り囲む肩部をさらに含む、請求項８に記載の橋脚歯。
【請求項１２】
前記切頭円錐形部分と前記ねじ山なし円筒形部分との前記接合部に、円周状の平坦な肩部をさらに含む、請求項１に記載の移植片。
【発明の詳細な説明】
【技術分野】
【０００１】
本発明は、一体形の、ねじを受容する、外ねじ山付き骨内歯科用移植片に関する。本発明は、これらの移植片と共に使用するためのスナップオンプラスチック移転体、スナップオン快適キャップ、及び、橋脚歯(abutment)にも関し、二個構成骨内歯科用移植片に取り付けられる一体形又は二個構成橋脚歯を備える。二個構成橋脚歯は、橋脚歯内部の長手通路を通過する固定ねじを含む。一体形橋脚歯は、橋脚歯の近位端に開口を備える内部通路又は室を含む。通路又は室は橋脚歯内部で遠位に延在し、橋脚歯内部で終端する。通路又は室は、通路又は室への入口又はその付近にねじ山付き領域を含む。通路／室は、例えば、相補的な形状及びサイズの挿入工具を受容するために、１つ又はそれよりも多くの複数の側面付き、複数のローブ付き、又は、他のレンチ係合面も含む。
【背景技術】
【０００２】
これらの移植片は、移植片の近位端に開口を備える内部通路又は面取り部も含み得る。通路又は面取り部は、本体部分の内部で遠位に延在し、本体部分の内部で終端する。通路又は面取り部は、通路又は面取り部への通路又はその付近に、例えば、相補的な形状及びサイズの挿入工具を受容するために、１つ又はそれよりも多くの複数側面の、複数ローブ付きの、又は、他のレンチ係合面を含む。通路／面取り部は、レンチ係合面の遠位にあるねじ山付き領域も含む。
【０００３】
外ねじ山付きの、一体形の骨内歯科用移植片は、細長い先細な或いは直線的な本体と、選択的に、遠位のセルフタッピング機能とを含む。これらの移植片の本体の近位端は、ねじ山なし円筒形部分と、移植片の近位端付近に平坦な周縁肩部を形成する外向きに延在するねじ山なし領域とを含む。移植片の頂部には、近位に延在する内向きに先細い切頭円錐形部分があり、切頭円錐形部分は保持溝を含む。この溝は切頭円錐形部分の周りに全体的に或いは部分的に延在する。
【０００４】
これらの移植片は、移植片の近位端に開口を備える内部通路又は面取り部も含み得る。通路又は面取り部は、本体部分の内部で遠位に延在し、本体部分の内部で終端する。通路又は面取り部は、例えば、相補的な形状及びサイズの挿入工具を受容するために、通路又は面取り部への入口又は入口付近に、１つ又はそれよりも多くの複数側面の、複数ローブ付きの、又は、他のレンチ係合面を含む。通路／面取り部は、レンチ係合面の遠位にある敷居領域も含む。
【０００５】
これらの移植片及び橋脚歯との使用のための移転構成素子及び快適キャップは、中空の内部長手通路を含み得る。これらのキャップ及び移転体内の通路の内面は、移植片の切頭円錐形部分上の保持溝と係合するのに適したサイズ及び形状の円周状突起を含み得る。移転及び快適キャップは、ナイロン又は超高分子量ポリプロピレンのようなプラスチック材料から成り得る。
【０００６】
快適キャップは円筒形であり得るし、その近位端で閉塞し且つその遠位端で内部通路に開放し得る。快適キャップの直径は、好ましくは、キャップの遠位端が移植片又は橋脚歯の近位端付近の平坦な周縁肩部上に位置する状態で、移植片又は橋脚歯の近位端で切頭円錐形部分の上に嵌合するのに十分な大きさである。そのように位置するとき、快適キャップ内部の突起は、橋脚歯又は移植片の切頭円錐形部分上の保持溝と係合し、移植片の内部通路／面取り部への開口を封止し、内部通路／面取り部内への組織又は流体の進入を阻止する。このキャップの外面は、舌への刺激を回避するよう滑らかに形成される。
【０００７】
これらの移植片及び橋脚歯との使用のための移転構成素子は、好ましくは、ナイロンのようなプラスチックから成る。移転体は、その遠位端に、円筒形本多部分と、移植片の切頭円錐形部分の上に嵌合するのに十分なサイズ及び形状の内部通路と、移植片の平坦な周縁肩部上に位置する遠位端表面とを含み得る。そのように位置するとき、キャップの内面上の円周状の或いは部分的に円周状の突起は、その遠位端部分で、移植片の切頭円錐形部分上の保持溝と係合する。
【０００８】
移転構成素子は、それらの近位端又はその付近に、２つ又はそれよりも多くの離間した概ね楕円形状部分と、それらの部分の遠位にある支持フランジと、構成素子の側壁内への円筒形開口も含み得る。これらの円筒形開口は、印象材の係合のための保持をもたらす。
【０００９】
これらの移植片及び二個構成骨内歯科用移植片との使用のための一体形橋脚歯は、ねじ山付きシャンクと、ねじ山付きシャンクの近位にあるねじ山なし中間部分と、移植片の頂部のサイズ及び形状と相補的なサイズ及び形状小野近位端部分、例えば、雌切頭円錐形部分とを含む。近位端は、以下に列記される特許／特許出願に開示される移植片のような内部レンチ係合機能を備える他の移植片の頂部のサイズ及び形状と相補的なサイズ及び形状から成り得る。これらの橋脚歯の近位端は、移植片の切頭円錐形部分と同一のサイズ及び形状である切頭円錐形部分を含み得るし、切頭円錐形部分上に周縁溝も含み得る。
【００１０】
これらの移植片と共に使用するための固定具マウントは、移植片の近位端の上に嵌合し、且つ、移植片の近位端と相補的なサイズ及び形状であり得る。これらのマウントの近位部分は、挿入工具との係合のための１つ又はそれよりも多くの平坦地域又は溝を備える内面、外面、及び、両方を含み得る。これらのマウントの近位部分及び遠位部分の接合部分は、マウントの遠位端からの近位端の分離を許容するよう、切込み付きの、或いは、その他の方法で弱められた領域であり得る。分離直後、遠位部分は、移植片の高さを拡張する働きをする。固定具マウントは、取付具マウントが移転素子として機能するのを可能にするために、金部分に適切なアンダーカット及び平坦地域をもたらし得る。
【００１１】
これらの移植片は、以下の米国特許出願に開示された、骨内歯科用移植片、橋脚歯、及び、他の関連する製品の１つ又はそれよりも多くの特徴を含み得る。
“Ｅｘｔｅｒｎａｌｌｙ−Ｔｈｒｅａｄｅｄ  Ｅｎｄｏｓｓｅｏｕｓ  Ｄｅｎｔａｌ  Ｉｍｐｌａｎｔｓ  Ｗｉｔｈ  Ｉｎｔｅｒｎａｌ  Ａｂｕｔｍｅｎｔ−Ｅｎｇａｇｉｎｇ  Ａｎｄ  Ｆｉｘｔｕｒｅ  Ｍｏｕｔ−Ｅｎｇａｇｉｎｇ  Ｓｕｒｆａｃｅｓ”と題する２００５年２月１日に米国特許庁に出願された米国特許出願第１１／０４７，９６０号（代理人整理番号第Ｄ９４７１）；
“Ｔａｐｅｒｅｄ  Ｅｎｄｏｓｓｅｏｕｓ  Ｄｅｎｔａｌ  Ｉｍｐｌａｎｔｓ  Ｗｉｔｈ  Ｅｘｔｅｒｎａｌ  Ｍｕｌｔｉｐｌｅ  Ｌｅａｄ  Ｔｈｒｅａｄｓ”と題する２００５年２月１日に米国特許庁に出願された米国特許出願第１１／０４７，９５９号（代理人整理番号第Ｄ９４７３）；
“Ｅｎｄｏｓｓｅｏｕｓ  Ｄｅｎｔａｌ  Ｉｍｐｌａｎｔｓ”と題する２００４年６月２５日に米国特許庁に出願された米国特許出願第１０／８７７，４６０号（Ｄ９４６２）；
“Ｅｎｄｏｓｓｅｏｕｓ  Ｏｎｅ−Ｐｉｅｃｅ  Ｓｃｒｅｗ−Ｔｙｐｅ  Ｄｅｎｔａｌ  Ｉｍｐｌａｎｔｓ”と題する２００４年７月１日に米国特許庁に出願された米国特許出願第１０／８８３，２７５号（Ｄ９４５６）；
“Ｍｕｌｔｉ−ｐａｒｔ  Ａｂｕｔｍｅｎｔ  Ａｎｄ  Ｔｒａｎｓｆｅｒ  Ｃａｐ  Ｆｏｒ  Ｕｓｅ  Ｗｉｔｈ  Ａｎ  Ｅｎｄｏｓｓｅｏｕｓ  Ｄｅｎｔａｌ  Ｉｍｐｌａｎｔ  Ｗｉｔｈ  Ｎｏｎ−Ｃｉｒｃｕｌａｒ，  Ｂｅｖｅｌｅｄ  Ｉｍｐｌａｎｔ  Ａｂｕｔｍｅｎｔ  Ｉｎｔｅｒｆａｃｅ”と題する２００３年１２月１９日に米国特許庁に出願された米国特許出願第１０／７４１，０２３号（Ｄ９４５２）；
“Ｅｎｄｏｓｓｅｏｕｓ  Ｄｅｎｔａｌ  Ｉｍｐｌａｎｔｓ”と題する２００３年１２月１９日に米国特許庁に出願された米国特許出願第１０／７４１，０６１号（Ｄ９４４３）；及び
“Ｓｃｒｅｗ−Ｔｙｐｅ  Ｄｅｎｔａｌ  Ｉｍｐｌａｎｔ  Ａｎｃｈｏｒ”と題する１９９０年１０月２日に発効した米国特許第４，９６０，３８１号。
【発明の開示】
【発明が解決しようとする課題】
【００１２】
本発明は、従来技術の問題点を解決することを目的とする。
【課題を解決するための手段】
【００１３】
図面を参照することによって、本発明をより良好に理解し得る。
【発明を実施するための最良の形態】
【００１４】
図１、２、及び、３は、一体形の、ねじを受容する、外ねじ山付き骨内歯科用移植片１０の実施態様を示している。移植片１０は、丸められた遠位端２４と、異なる複数の送りの外ねじ山付き部分１２及び１４と、セルフタッピング切断部分１３とから成る本体２３を含む。ねじ山付き領域１４の近位には、円筒形のねじ山なし部分１５がある。部分１５の近位には、外向きに朝顔形に広がるねじ山なし部分１６があり、その近位端に、円周に延在する平坦な肩部１７を含む。肩部１７の頂部には、円周溝１９を含む内向きに先細な切頭円錐形部分１８がある。
【００１５】
切頭円錐形部分１８は、移植片１０の本体内部の内部通路に入る開口２０を含む。通路は、通路への開口に、引込み傾斜部／面取り部２１を含み、傾斜部／面取り部２１の下に、複数側面のレンチ係合面２２を含む。複数側面のレンチ係合面２２の遠位には、内ねじ山付き領域２３があり、内ねじ山付き領域は、レンチ係合面２２よりも小さな直径を備えて示されているが、レンチ係合面と同一の直径を備えて形成され得る。内部通路は、ねじ山なし領域２４で、本体部分内部で終端している。
【００１６】
図１１、１２、及び、１３は、図１、２、３からの歯科用移植片１０を示しており、移植片１０の上に快適キャップ２５が位置付けられている。キャップ２５は、その近位端２６にある閉塞された平坦面と、円筒形の側壁２７と、内部通路２８とを有する。キャップ２５の遠位面は、移植片１０の頂部にある平坦な肩部１７上に位置し且つ封止する平坦な円周状に延在する表面２９である。キャップ２５内部には円周状に延在する突起３０があり、突起は、快適キャップ２５が図１３に示されるように移植片１０の頂部の所定位置にあるときに、移植片１０の頂部にある溝１９にスナップインして係合する。
【００１７】
図１４、１５、及び、１６は、移植片１０と、移植片１０の上に位置付けられた取付具マウント３１を示している。取付具マウント３１は、円筒形本体３２と、取付具マウント３１と一体的に形成され且つ本体部３２Ａによって離間されたフランジ３３及び３４とを含む。フランジ３４は、支持用の三角形状支柱３５及び３６を含む。構成素子３１の側壁３２は、１つ又はそれよりも多くの丸い開口３７も含む。
【００１８】
図１５は、取付具マウント３１内の内部通路３８を示しており、通路３８への開口付近に、通路３８の内面上の円周状の突起３９を備える。取付具マウント３１の遠位端４０は、移植片１０上の肩部１７とサイズ及び形状が相補的な平坦な円周状に延在する表面である。図１６は、取付具マウント３１の遠位端にある平坦面４０が移植片１０の肩部１７上に位置する状態で、移植片１０の頂部の所定位置にある取付具マウント３１を示している。
【００１９】
図４、５、及び、６は、橋脚歯(abutment)４１を備える歯科用移植片１０を示している。橋脚歯４１は、遠位のねじ山付きシャンク４２と、シャンク４２の近位にあるねじ山なし円筒形領域４３とを含む。シャンク部分４３に近位には頂部４４があり、頂部は、ねじ山なし円筒形部分４５と、円周溝４７を備える、近位に延在し内向きに先細い切頭円錐形部分４６とを含む。近位部分４４は内部通路４８を含み、内部通路は、内ねじ山４９と、ねじ山４９の遠位にある内部レンチ係合面５０とを含む。橋脚歯４１は、シャンク４２のねじ山が移植片の内ねじ山２３と係合する状態で、移植片１０内部の内部通路２０に螺入され得る。その結果、図６に示されるように、移植片１０に対する橋脚歯４１の取付けをもたらす。
【００２０】
図７、８、９、及び、１０は、取付具マウント５０を備える歯科用移植片１０を示している。取付具マウント５０は、弱められた切込み線５３によって結合された２つの分離可能な部分５１及び５２を含む。図９が示すように、部分５１及び５２は、切込み線に沿って互いに分離され得る。部分５２は、円筒形側壁部５４と、そこの近位にある円周状に延在する溝５６を備える、近位に延在する内向きに先細い部分５５とを含む。
【００２１】
取付具マウント５０の部分５１は、遠位の円筒形部分５７と、外向きに先細い部分５８と、溝付き領域６０と、部分５１の近位端にあるレンチ係合面６１とを含む。取付具マウント５０の内部には内部通路６２があり、内部通路は、その近位端にレンチ係合面６２を含む。取付具マウント５０の遠位端は、移植片１０の頂部の切頭円錐形部分と相補的なサイズ及び形状の溝６６を含む円周状の切頭円錐形部分５２を含む。移植片１０頂部にある取付具マウント５０を用いることで、円周キャビティ６５を含む取付具マウント５０の遠位端は、平坦面６４が移植片１０の肩部１７上にある状態で、移植片１０の近位端上に位置する。
【００２２】
図１７及び１８は、側面図において、先細い外ねじ山付き本体１０１を有する骨内歯科用移植片１００を示しており、本体１０１の遠位端にセルフタッピング機能１０２を備える。本体１０１は、近位の円周状のねじ山なし部分１０３と、近位のねじ山なしの上向きに突出する内向きに先細い部分１０４とを含む。移植片１０の近位面１１６は、内ねじ山付き通路への開口を含む。移植片１００の上に位置付けられているのは橋脚歯１０５であり、橋脚歯は、ねじ山付き遠位シャンク１０６と、シャンク１０６頂部にあるねじ山なし遠位シャンク部分１０７とを含む。橋脚歯１０５の近位端は、円筒形のねじ山なし部分１０９の遠位にある、下向きに延在する内向きに先細い表面１０８と、円周状の肩部１１７とを含む。切頭円錐形部分１１１は、平坦な上部面１１２と、全体的に或いは部分的に円周状の溝１１０とを含む。
【００２３】
図１８は、縦断面図において、橋脚歯１０５の内部構造を示しており、近位面１１２に開口を備える内部通路を含む。橋脚歯１０５内部の通路１１４は、近位のねじ山付き領域１１３と、ねじ山１１３の遠位にある、ねじ山なしのレンチ係合面１１５とを含む。
【００２４】
図１９は、橋脚歯１００内部の所定位置に螺入された橋脚歯１０５を備える移植片１００を示している。図２０は、図１９におけるように、橋脚歯１００内部の所定位置に螺入された橋脚歯１０５を示しているが、橋脚歯１０５は側断面図で示されている。
【００２５】
図２１及び２２は、骨内歯科用移植片２００と、移植片２００と共に使用するための二個構成の橋脚歯２０６／２０７とを示している。移植片２００は、その外面上に、セルフタッピングカッター領域２０５と、第一ねじ山付き領域２０１と、第二ねじ山付き領域２０２とを含む。ねじ山付き領域２０１及び２０２の近位には、ねじ山なし円筒形本体部分２０３があり、本体部分は、内部通路２２３への開口を取り囲む平坦な先細い表面２２２を含む。内部には、内部通路２２３の敷居に、引込み面取り部２２４を含む複数の側面付きのレンチ係合面２０４である。
【００２６】
図２２を参照すると、内部通路２２３を示しており、内部通路は、移植片２００内部で終端し、内ねじ山付き領域２１８を含む。
【００２７】
第一橋脚歯部分２０６は、その遠位端に、移植片２００の内部レンチ係合面２０４とサイズ及び形状が相補的な複数側面の雄突起２１４を含む。突起２１４は、複数側面のレンチ係合面２０４内に回転防止的に位置するよう構成される。遠位部分２１４の近位には、円筒形のねじ山なし本体部分２１５と、平坦な近位の肩部２２５と、円周状溝２１６を含む切頭円錐形部分２２６とがある。端面２２７は、第一橋脚歯部分２０６内部の内部長手通路２１７への開口を取り囲んでいる。
【００２８】
図２２が示すように、内部通路２１７は、より大きな直径の第一円筒形ねじ山なし領域２２８と、内部フランジ／シェルフ２２９と、領域２２８よりも小さな直径の第二円筒形ねじ山なし領域２１９とを含む。
【００２９】
第二橋脚歯部分２０７は、領域２０８にねじ山を備える遠位のねじ山付きシャンク２０９を含む。第二橋脚歯部分２０７の頂部には、肩部２１０と、六角形部分２１１とがある。開口２１２は、第二橋脚歯部分２０７を移植片２００の内部通路２２３に螺入するための挿入工具を受容するための内ねじ山を含む。
【００３０】
二個構成の橋脚歯２０６／２０７は、第一橋脚歯部分２０６の遠位部分２１４を移植片２００の内部レンチ係合面２０４内に配置することによって、移植片２００に固定される。次に、取付具ねじ２０７が長手通路を通じて第一橋脚歯２０６内に挿入され、ねじ山付きシャンク部分２０８が移植片２００の内ねじ山２１８に螺入される。次に、第二橋脚歯部分２０７のフランジ２１０が、第一橋脚歯部分２０６の上面２２７と係合し、第二部分２０６上の外部肩部２５０は、移植片２００内部の内部肩部２２０と係合し、第二橋脚歯部分２０６を移植片２００頂部の所定位置に保持する。
【００３１】
第一橋脚歯部分２０６上の円周溝２１６は、患者の顎骨内への移植片の挿入後、治癒期間中に、或いは、移植片２００への取付けのための適切な人工器官を形成することにおける使用のために、図７乃至１６に示されるようなスナップオン快適キャップ又はスナップオン移転素子を受容し且つ係合するよう構成されている。
【図面の簡単な説明】
【００３２】
【図１】一体形のねじ受容外ねじ山付き骨内歯科用移植片の実施態様を示す側面図である。
【図２】図１の歯科用移植片を縦断面で示す側面図である。
【図３】図１の歯科用移植片を示す斜視図である。
【図４】遠位の移植片の近位端を複製する当該移植片との使用のための橋脚歯を備える図１乃至３の歯科用移植片を示す側面図である。
【図５】図４の歯科用移植片及び橋脚歯を縦断面で示す側面図である。
【図６】橋脚歯が移植片頂部の所定位置にある状態の図４の歯科用移植片及び橋脚歯を示す側面図である。
【図７】取付具マウントが移植片頂部の所定位置にある状態の図１乃至６の歯科用移植片を示す側面図である。
【図８】取付具マウントが移植片頂部の所定位置にある状態の図７の歯科用移植片及び移転素子を示す側面図である。
【図９】移転構成素子の一部が移植片／取付具マウント組立体から分離され取り外された状態の図８の歯科用移植片及び取付具マウント構成素子を示す側面図である。
【図１０】図７及び８に示される取付具マウントを縦断面で示す図７及び８の歯科用移植片を示す側面図である。
【図１１】快適キャップが移植片上に位置付けられた状態の図１乃至１０の歯科用移植片を示す側面図である。
【図１２】移転構成素子が部分斜視図で示された状態の図１１の歯科用移植片及び快適キャップを示す側面図である。
【図１３】快適キャップが移植片頂部の所定位置にある状態の図１１及び１２の歯科用移植片を示す側面図である。
【図１４】快適キャップが移植片上に位置付けられた状態の図１乃至１３の歯科用移植片を示す側面図である。
【図１５】快適キャップが部分斜視図で示された状態の図１４の歯科用移植片及び移転構成素子を示す側面図である。
【図１６】快適キャップが移植片頂部の所定位置にある状態の図１４及び１５の歯科用移植片及び移転構成素子を示す側面図である。
【図１７】移植片との使用のための橋脚歯を備える二個構成の骨内歯科用移植片を示す側面図であり、移植片は、その近位端に、スナップオン移転構成素子又はスナップオン快適キャップとの係合に適した全体的又は部分的に円周状の溝を備える切頭円錐形部分を含む。
【図１８】図１７の移植片及び橋脚歯を示す側面図であり、橋脚歯はその内部の通路内の内ねじ山及び内部レンチ係合面を露出するよう縦断面図で示されている。
【図１９】橋脚歯が移植片頂部の所定位置にある状態の図１７及び１８の骨内歯科用移植片及び橋脚歯を示す側面図である。
【図２０】図１９の移植片及び橋脚歯を示す側断面図である。
【図２１】スナップオン移転構成素子及びスナップオン快適キャップを受容するよう構成された二個構成の橋脚歯と骨内歯科用移植片とを示す斜視図である。
【図２２】図２１に示される移植片／二個構成橋脚歯組立体を縦断面で示す側面図である。
【図１】
2008529661.tif 000003
【図２】
2008529661.tif 000004
【図３】
2008529661.tif 000005
【図４】
2008529661.tif 000006
【図５】
2008529661.tif 000007
【図６】
2008529661.tif 000008
【図７】
2008529661.tif 000009
【図８】
2008529661.tif 000010
【図９】
2008529661.tif 000011
【図１０】
2008529661.tif 000012
【図１１】
2008529661.tif 000013
【図１２】
2008529661.tif 000014
【図１３】
2008529661.tif 000015
【図１４】
2008529661.tif 000016
【図１５】
2008529661.tif 000017
【図１６】
2008529661.tif 000018
【図１７】
2008529661.tif 000019
【図１８】
2008529661.tif 000020
【図１９】
2008529661.tif 000021
【図２０】
2008529661.tif 000022
【図２１】
2008529661.tif 000023
【図２２】
2008529661.tif 000024
【国際調査報告】
2008529661.tif 000025